(57)【要約】【課題】操作性が向上し、且つ、操作モードが認識し易い入力装置、および、そのような入力装置を搭載した電子機器を提供する。【解決手段】ポインタモードでのカーソル移動やスクロールモードでの表示像の移動を指示するために操作される光学式の入力装置１００が、操作モード切替ボタン１１２と、コントローラ１２０と、導光用モールド１１６とを備えた。操作モード切替ボタン１１２は、ポインタモードとスクロールモードとのいずれかの操作モードを選択する選択操作を受ける。導光用モールド１１６は、ボール１１１の回転検知のためのＬＥＤ１１３の発光光の一部を、ボール１１１に並んで、外部から視認される操作モード切替ボタン１１２へと導く。そして、この操作モード切替ボタン１１２が、その導かれた光を受けて操作モードに応じた発光光で発光する。【選択図】        図４
2012150697.tif 000002
【特許請求の範囲】
【請求項１】
回転操作を受ける部材と、
前記部材を、一部が露出した状態で回転自在に収納した収納器と、
前記部材の表面のうち、前記収納器に内包されている表面部分を、複数態様の光のうち指定を受けた態様の光で照らす照射器と、
前記部材の表面で反射された光を検出することで該部材の回転を検知する検知器と、
表示画面上の表示像に、前記検知器で検知された回転に応じた変化を、複数の変化方式のうちから選択された変化方式で生じさせる変化部と、
前記変化部における変化方式を選択する選択操作を受ける、前記部材とは別の操作子と、
前記操作子が受けた選択操作によって選択された変化方式に対応した態様を前記照射器に指定する指定部と、
前記照射器が発した光の一部を、前記部材の、前記収納器から露出した部分に並んだ、外部から視認される箇所へと導く導光体と、
を備えたことを特徴とする入力装置。
【請求項２】
前記操作子が、前記導光体が光を導く箇所に設けられたものであることを特徴とする請求項１記載の入力装置。
【請求項３】
前記操作子が、前記部材の、前記収納器から露出した部分を少なくとも部分的には囲んだものであることを特徴とする請求項１または２記載の入力装置。
【請求項４】
前記照射器が、前記複数態様の光として、点灯消滅パターンが互いに異なる複数の光を用いるものであることを特徴とする請求項１から３のうちいずれか１項記載の入力装置。
【請求項５】
前記照射器が、前記複数態様の光として、色が互いに異なる複数の光を用いるものであることを特徴とする請求項１から３のうちいずれか１項記載の入力装置。
【請求項６】
前記導光体が、前記収納器の内壁を兼ねたものであることを特徴とする請求項１から５のうちいずれか１項記載の入力装置。
【請求項７】
表示画面と、
前記表示画面上に像を表示させる表示部と、
回転操作を受ける部材と、
前記部材を、一部が露出した状態で回転自在に収納した収納器と、
前記部材の表面のうち、前記収納器に内包されている表面部分を、複数態様の光のうち指定を受けた態様の光で照らす照射器と、
前記部材の表面で反射された光を検出することで該部材の回転を検知する検知器と、
前記表示画面上の表示像に、前記検知器で検知された回転に応じた変化を、複数の変化方式のうちから選択された変化方式で生じさせる変化部と、
前記変化部における変化方式を選択する選択操作を受ける、前記部材とは別の操作子と、
前記操作子が受けた選択操作によって選択された変化方式に対応した態様を前記照射器に指定する指定部と、
前記照射器が発した光の一部を、前記部材の、前記収納器から露出した部分に並んだ、外部から視認される箇所へと導く導光体と、
を備えたことを特徴とする電子機器。
【発明の詳細な説明】
【技術分野】
【０００１】
本件は、表示画面上でのカーソルの移動や表示像のスクロールを指示するための入力装置と、そのような入力装置を搭載した電子機器に関する。
【背景技術】
【０００２】
近年、Ｆｕｌｌ−ＨＤ（Ｈｉｇｈ  Ｄｅｆｉｎｉｔｉｏｎ）やＷＵＸＧＡ（Ｗｉｄｅ  Ｕｌｔｒａ  ｅＸｔｅｎｄｅｄ  Ｇｒａｐｈｉｃｓ  Ａｒｒａｙ）等の高解像度の表示パネルを搭載したノート型パーソナルコンピュータ（ノートＰＣ）が増えてきている。
【０００３】
一般的に、このようなノートＰＣに搭載されている高解像度の表示パネルは画面が大きい。このため、表示パネルの表示画面上でのカーソルの移動や表示像のスクロールを指示するためにノートＰＣに搭載されているタッチパッドでは、画面の端から反対側の端まで移動する際の移動距離が長い。その結果、高解像度の表示パネルが、一方では、タッチパッド上で何度も指を移動しなければならないという利便性の低下を招いている。
【０００４】
そこで、このようなタッチパッドに替えて、ボールに対する回転操作でカーソルの移動や表示像のスクロールを指示するいわゆるトラックボール装置を搭載したノートＰＣが提案されている（例えば、特許文献１〜４参照）。
【先行技術文献】
【特許文献】
【０００５】
【特許文献１】特開２００２−１５７０７７号公報
【特許文献２】特開２００４−６２３０８号公報
【特許文献３】特開２００５−２１６１９５号公報
【特許文献４】特開２００６−１３３８４８号公報
【発明の概要】
【発明が解決しようとする課題】
【０００６】
ここで、入力装置の中には、表示画面上のカーソルの移動を指示するポインタモードと、表示画面上の表示像のスクロールを指示するスクロールモードとの間での操作モードの切替えを次のように行うものがある。
【０００７】
例えば、入力装置の中には、ボールの回転操作のみが行われたときには操作モードをポインタモードとし、クリックボタンの押下と共にボールが回転操作されたときには操作モードをスクロールモードとするものがある。このようなタイプの入力装置は、スクロールモードでクリックボタンの押下を必要とするため、操作者が使い難さを感じることがある。
【０００８】
また、入力装置の中には、弾性支持されたボールが一定のストロークまで押下操作されたことを検知すると、操作モードを、ポインタモードからスクロールモードに切り替えるものがある。このようなタイプの入力装置は、ポインタモードでの操作を、ボールを押下しないように注意しつつ行う必要があるため、操作者が使い難さを感じることがある。
【０００９】
ここで、入力装置の操作モードは、実際に入力装置を操作してみて表示像がどのように変化するかによって認識されることも少なくなく、操作者の中には、操作モードの認識のし難さを感じている者もいる。
【００１０】
そこで、入力装置を操作しなくても操作モードが認識できるように、例えば、各操作モードに対応したＬＥＤ（Ｌｉｇｈｔ  Ｅｍｉｔｔｉｎｇ  Ｄｉｏｄｅ）が設けられたノートＰＣがある。このようなノートＰＣでは、どのＬＥＤが発光しているかで操作者に操作モードが示されることとなる。しかし、操作モードをＬＥＤの発光によって示すためには、そのようなＬＥＤや、発光を制御するための回路等のために、新たな設置スペースが必要となる。そして、小型化、薄型化の進展が著しいノートＰＣでは、このような新たな設置スペースの確保が困難な場合がある。
【００１１】
尚、ここまで、ノートＰＣに搭載された入力装置を例に挙げて、操作性の低さや、操作モードの認識のし難さという事情について説明した。しかし、このような事情は、例えば携帯端末機器等といった電子機器に搭載されて、表示画面上のカーソル移動や表示像のスクロールを指示する入力装置であれば同様に生じ得る事情である。
【００１２】
本件は上記事情に鑑み、操作性が向上し、且つ、操作モードが認識し易い入力装置、および、そのような入力装置を搭載した電子機器を提供することを目的とするものである。
【課題を解決するための手段】
【００１３】
上記目的を達成する入力装置は、部材と、収納器と、照射器と、検知器と、変化部と、操作子と、指定部と、導光体とを備えている。
【００１４】
部材は、回転操作を受けるものである。
【００１５】
収納器は、上記部材を、一部が露出した状態で回転自在に収納したものである。
【００１６】
照射器は、上記部材の表面のうち、上記収納器に内包されている表面部分を、複数態様の光のうち指定を受けた態様の光で照らすものである。
【００１７】
検知器は、上記部材の表面で反射された光を検出することでその部材の回転を検知するものである。
【００１８】
変化部は、表示画面上の表示像に、上記検知器で検知された回転に応じた変化を、複数の変化方式のうちから選択された変化方式で生じさせるものである。
【００１９】
操作子は、上記変化部における変化方式を選択する選択操作を受ける、上記部材とは別の操作子である。
【００２０】
指定部は、上記操作子が受けた選択操作によって選択された変化方式に対応した態様を上記照射器に指定するものである。
【００２１】
導光体は、上記照射器が発した光の一部を、上記部材の、上記収納器から露出した部分に並んだ、外部から視認される箇所へと導くものである。
【００２２】
また、上記目的を達成する電子機器は、表示画面と、その表示画面上に像を表示させる表示部と、上記部材、上記収納器、上記照射器、上記検知器、上記変化部、上記操作子、上記指定部、および上記導光体を備えている。
【発明の効果】
【００２３】
本件によれば、操作性が向上し、且つ、操作モードが認識し易い入力装置、および、そのような入力装置を搭載した電子機器を得ることができる。
【図面の簡単な説明】
【００２４】
【図１】本件の電子機器の第１実施形態であるノートＰＣを示す図である。
【図２】図１に示す本体筐体における上面を示す図である。
【図３】図１に示すノートＰＣのハードウェア構成図である。
【図４】入力装置の詳細を、図２中の切断線Ａ−Ａに沿った部分断面に注目して示す図である。
【図５】ＬＥＤのドライバ回路を示す図である。
【図６】ポインタモードにおける表示画面と操作モード切替ボタンを示す図である。
【図７】操作モード切替ボタンが押下操作されたときのノートＰＣでの処理の流れを表すフローチャートである。
【図８】スクロールモードにおける表示画面と操作モード切替ボタンを示す図である。
【図９】比較例における操作モードの表示方法を示す図である。
【図１０】第２実施形態におけるＬＥＤのドライバ回路を示す図である。
【図１１】第３実施形態における入力部の操作モード切替ボタンと、操作モードの表示部とを示す図である。
【図１２】第４実施形態において、操作モード切替ボタンが押下操作されたときのノートＰＣでの処理の流れを表すフローチャートである。
【発明を実施するための形態】
【００２５】
以下、本件の入力装置および電子機器の具体的な実施形態について、図面を参照して説明する。
【００２６】
まず、第１実施形態について説明する。
【００２７】
図１は、本件の電子機器の第１実施形態であるノートＰＣを示す図である。
【００２８】
この図１に示すノートＰＣ１は、表示装置１０と本体装置２０とを備えている。表示装置１０は、本体装置２０に、表示装置１０が本体装置２０に対し開閉自在となるように連結されている。図１には、表示装置１０が本体装置２０に対し開かれた開状態にあるノートＰＣ１の外観が示されている。
【００２９】
表示装置１０は、表示画面１１ａが外部に露出するように、表示筐体１０ａ内に液晶パネル１１が収納されたものである。この表示画面１１ａが、本件の電子機器における表示画面の一例に相当する。
【００３０】
本体装置２０は、本体筐体２０ａ内に、上記の表示画面１１ａ等に表示される情報を生成する情報処理回路を含む各種回路等が収納されたものである。
【００３１】
本体筐体２０ａは、上記の閉状態の際に表示装置１０で覆われる上面に、キーボード２１、入力装置１００を備えている。入力装置１００は、操作者によって回転操作されるボール１１１を備えている。この入力装置１００が、本件の入力装置の第１実施形態に相当する。
【００３２】
このノートＰＣ１では、入力装置１００の操作モードとして、ポインタモードとスクロールモードとの２つの操作モードが用意されている。ポインタモードは、ボール１１１の回転に応じてカーソル１１ｂを移動させるモードである。そして、スクロールモードは、ボール１１１の回転に応じて表示像をスクロールさせるモードである。
【００３３】
図２は、図１に示す本体筐体における上面を示す図である。
【００３４】
この図２に示すように、入力装置１００は、上記のボール１１１と、操作モード切替ボタン１１２を備えている。
【００３５】
ボール１１１は、本体筐体２０ａ上で、キーボード２１の近傍に配置され、キー入力時にカーソル１２ａを操作しようとしても、手の移動をしなくても済み、利便性を低下させることの無いよう考慮されている。このボール１１１が、回転操作を受ける球状部材の一例に相当する。なお、球状部材は、回転操作可能であれば何れの形状であっても良い。
【００３６】
操作モード切替ボタン１１２は、入力装置１００の操作モードを、ポインタモードとスクロールモードとの間で切り替えるために押下操作されるボタンである。この操作モード切替ボタン１１２は、ボール１１１の周囲を取り囲んだリング形状を有している。操作モード切替ボタン１１２が１回押下操作される度に、操作モードが、スクロールモードからポインタモードに、あるいは、ポインタモードからスクロールモードに切り替えられる。
【００３７】
さらに、この操作モード切替ボタン１１２は、詳細については後述するように、ポインタモードのときに赤色発光し、スクロールモードのときに青色発光するようになっている。この各モードに応じた色での発光により、操作モード切替ボタン１１２は、操作者に、入力装置１００の操作モードを示す指示器の役割も果たしている。
【００３８】
図３は、図１に示すノートＰＣのハードウェア構成図である。
【００３９】
ノートＰＣ１は、図１にも示す表示装置１０、キーボード２１、コア処理を行うＣＰＵ（Ｃｅｎｔｒａｌ  Ｐｒｏｃｅｓｓｉｎｇ  Ｕｎｉｔ）２２を備えている。また、ノートＰＣ１は、情報の一時記憶を行うメモリ２３、情報を常時記憶しておくＨＤＤ（Ｈａｒｄ  Ｄｉｓｋ  Ｄｒｉｖｅ）２４を備えている。さらに、ノートＰＣ１は、音声を出力するスピーカ２５、およびマウス２６を備えている。これらの各部はバス２７を介して接続されており、キーボード２１およびマウス２６にて入力された情報に応じて、バス２７経由でＣＰＵ２２にて処理された表示像が表示装置１０に出力表示される。
【００４０】
また、ノートＰＣ１では、入力装置１００もバス２７を介してＣＰＵ２２等に接続されている。入力装置１００は、図２にも示すボール１１１と操作モード切替ボタン１１２を含むボール構造体１１０、コントローラ１２０、および押ボタンスイッチ１３０を備えている。
【００４１】
以下、この入力装置１００の各要素について説明する。
【００４２】
図４は、入力装置の詳細を、図２中の切断線Ａ−Ａに沿った部分断面に注目して示す図である。
【００４３】
入力装置１００におけるボール構造体１１０は、図２にも示すボール１１１、操作モード切替ボタン１１２、ＬＥＤ１１３、ドライバ回路１１４、センサ１１５、および導光用モールド１１６を備えている。
【００４４】
ボール１１１は、上記のように、ポインタモードにおけるカーソルの移動、あるいはスクロールモードにおける表示像のスクロールを指示するために、操作者が回転操作するものである。そして、このボール１１１は、球の過半が埋まる形状の窪みを有する内壁を形成した導光用モールド１１６のその内壁の中に、球の一部が露出した状態で回転自在に収納されている。
【００４５】
入力装置１００は、いわゆる光学式の入力装置である。
【００４６】
即ち、この入力装置１００が有するボール１１１の表面には、その表面に照射された光の反射光が、このボール１１１の回転に応じて強度変化するように粗面加工が施されている。
【００４７】
ボール１１１の周囲には、微小空間を挟んで導光用モールド１１６が配置されている。ボール１１１の回転の抵抗を小さくするため、導光用モールド１１６はボール１１１に直接には接触せずに、ボール１１１と導光用モールド１１６の間に数点設置された、ボール１１１に対する接触面積の小さい支点１１６ａを介してボール１１１を保持している。この導光用モールド１１６が、上記球状部材を、一部が露出した状態で回転自在に収納した収納器の一例に相当する。
【００４８】
導光用モールド１１６におけるボール１１１の下側に位置する箇所には、この導光用モールド１１６を切り欠いた窓１１６ｂが設けられている。この窓１１６ｂの枠内にボール１１１の回転検知用のＬＥＤ１１３とセンサ１１４が設置されている。詳細については後述するが、第１実施形態では、ＬＥＤ１１３は、赤色と青色との２色に発光するタイプのものとなっている。
【００４９】
第１実施形態におけるＬＥＤ１１３が、上記球状部材の表面のうち、上記収納器に内包されている表面部分を、複数態様の光のうち指定を受けた態様の光で照らす照射器の一例に相当する。また、このＬＥＤ１１３が発する２色の光が、上記の複数態様の光の一例に相当する。
【００５０】
このＬＥＤ１１３から発射された光がボール１１１の表面で反射されて、センサ１１５でその反射光の映像が検出される。このセンサ１１５での検出結果は、コントローラ１２０に定期的に送られる。
【００５１】
コントローラ１２０は、センサ１１５から送られてくる検出結果の映像を保持する。コントローラ１２０は、今回送られてきた検出結果の映像と、直前に送られてきた検出結果の映像とを比較する。そして、コントローラ１２０は、その比較した映像の相互間に差異があった場合に、その差異があることをもってボール１１１の回転を検知する。上記のセンサ１１５とこのコントローラ１２０とを合わせたものが、上記球状部材の表面で反射された光を検出することでその球状部材の回転を検知する検知器の一例に相当する。
【００５２】
また、回転を検知した場合には、コントローラ１２０は、上記の差異から、ボール１１１の回転方向とその回転距離を計算する。コントローラ１２０は、計算した回転方向と回転距離を表す回転情報を、図３に示すバス２７経由でＣＰＵ２２に送信する。
【００５３】
操作モード切替ボタン１１２は、上述したように、入力装置１００の操作モードを、ポインタモードとスクロールモードとの間で切り替えるために押下操作されるボタンである。操作モード切替ボタン１１２は、リング形状を有している。そして、操作モード切替ボタン１１２の縁の一部には、本体筐体２０ａの内側に向かって突出した突起部１１２ａが形成されている。この突起部１１２ａは、本体筐体２０ａに設けられた穴２０ａ＿１に嵌め込まれており、操作モード切替ボタン１１２が押下操作されたときに、この操作モード切替ボタン１１２を垂直下方へと案内するガイドの役割を果たしている。また、穴２０ａ＿１の底には、この突起部１１２ａを介して操作モード切替ボタン１１２を押し上げるバネ２０ａ＿２が配置されている。これにより、操作モード切替ボタン１１２は、操作者が操作モード切替ボタン１１２を指で押すと垂直下方に沈み、操作者が指を離すと復位する。
【００５４】
また、突起部１１２ａが嵌め込まれている穴２０ａ＿１の中には、押ボタンスイッチ１３０が配置されている。
【００５５】
操作モード切替ボタン１１２が押下操作されると、突起部１１２ａの下端が、この押ボタンスイッチ１３０を押下する。ここで、この押ボタンスイッチ１３０は、いわゆるプッシュ−プッシュスイッチとなっている。そして、コントローラ１２０は、この押ボタンスイッチ１３０が突起部１１２ａの下端に押下される度にその押下を検知する。
【００５６】
コントローラ１２０は、不図示のメモリ内に、入力装置１００の操作モードを記憶している。そして、コントローラ１２０は、押ボタンスイッチ１３０の押下を検知する度に、その記憶内容を、ポインタモードからスクロールモード、あるいは、スクロールモードからポインタモードに変更する。そして、コントローラ１２０は、その変更した操作モードを表すモード信号を、図３に示すバス２７経由でＣＰＵ２２に送信する。また、コントローラ１２０は、そのモード信号を、ＬＥＤ１１３のドライバ回路１１４にも送信する。
【００５７】
図３のＣＰＵ２２は、表示像を表す情報をバス２７を介して表示装置１０に送信し、その表示装置１０に像を表示させる。このＣＰＵ２２が、本件の電子機器における、上記表示画面上に像を表示させる表示部の一例に相当する。
【００５８】
ＣＰＵ２２は、コントローラ１２０から送信されてきた回転情報が表すボール１１１の回転方向とその回転距離、およびモード信号が表す操作モードに基づいて、表示画面１１ａ上でのカーソル１１ｂの移動や、表示像のスクロールを行う。
【００５９】
つまり、コントローラ１２０は、回転情報とモード信号をＣＰＵ２２に送信することで、ポインタモードでのカーソル１１ｂの移動やスクロールモードでの表示像のスクロールを生じさせるものとなっている。
【００６０】
このコントローラ１２０は、表示画面上の表示像に、上記検知器で検知された回転に応じた変化を、複数の変化方式のうちから選択された変化方式で生じさせる変化部の一例にも相当している。そして、ポインタモードとスクロールモードとの２つの操作モードが、上記の複数の変化方式の一例に相当する。
【００６１】
また、操作モードの切替えに当たって操作者に押下操作される上記の操作モード切替ボタン１１２が、上記変化部における変化方式を選択する選択操作を受ける、上記球状部材とは別の操作子の一例に相当する。
【００６２】
ここで、第１実施形態では、上述したように、ＬＥＤ１１３が、赤色と青色との２色を発光するタイプのものとなっている。このＬＥＤ１１３は、ドライバ回路１１４によって、赤色と青色とのいずれかの色で発光するように制御される。ドライバ回路１１４は、このような発光制御を、コントローラ１２０から送信されてきたモード信号に基づいて行う。
【００６３】
図５は、ＬＥＤのドライバ回路を示す図である。
【００６４】
ドライバ回路１１４は、発光制御を行うドライバ素子１１４ａと、一端がこのドライバ素子１１４ａの出力端子に接続され、他端が、ＬＥＤ１１３のカソード端子に接続された抵抗素子１１４ｂを備えている。ＬＥＤ１１３のアノード端子と、ドライバ素子１１４ａの電源端子は５Ｖ出力の電源に接続されている。さらに、ドライバ素子１１４ａの信号入力端子が、上記のコントローラ１２０に接続されており、この信号入力端子に、上記のモード信号が入力される。ドライバ素子１１４ａは、モード信号がポインタモードを表す信号であった場合に、ＬＥＤ１１３のカソード端子に、赤色発光に相当する電圧を印加する。また、ドライバ素子１１４ａは、モード信号がスクロールモードを表す信号であった場合に、ＬＥＤ１１３のカソード端子に、青色発光に相当する電圧を印加する。これにより、ＬＥＤ１１３は、ポインタモードの場合に赤色発光し、スクロールモードの場合に青色発光することとなる。
【００６５】
このドライバ回路１１４が、上記操作子が受けた選択操作によって選択された変化方式に対応した態様を上記照射器に指定する指定部の一例に相当する。
【００６６】
ここで、図４に示すＬＥＤ１１３が発した赤色又は青色の光の一部は、ボール１１１やＬＥＤ１１３の周囲にも放射される。第１実施形態では、この一部の光が、ボール１１１を保持している導光用モールド１１６における窓１１６ｂの縁に入射される。入射された光は、導光用モールド１１６の内部を伝搬して、操作モード切替ボタン１１２側の端部から放射される。
【００６７】
また、第１実施形態では、操作モード切替ボタン１１２が、樹脂で、曇りガラス状に形成されている。このため、導光用モールド１１６の端部から放射された光が、この操作モード切替ボタン１１２の内部で散乱されて、操作モード切替ボタン１１２が全体的に発光することとなる。
【００６８】
上記の導光用モールド１１６が、上記照射器が発した光の一部を、上記球状部材の、上記収納器から露出した部分に並んだ、外部から視認される箇所へと導く導光体の一例に相当する。
【００６９】
ここで、第１実施形態では、曇りガラス状に形成されて、導光用モールド１１６で導かれた光を散乱させることで発光する操作モード切替ボタン１１２が、「外部から視認される箇所」の一例にも相当している。
【００７０】
しかし、この「外部から視認される箇所」は、この第１実施形態における操作モード切替ボタン１１２に限るものではない。例えば、「外部から視認される箇所」は、操作モード切替ボタンの直下に位置する、導光用モールドの端部であっても良い。この場合、導光用モールドの端部が曇りガラス状に形成されて光を散乱させることで発光するものとなる。そして、この端部を覆う操作モード切替ボタンは、ＬＥＤの光を単純に透過させる透明な窓となる。
【００７１】
以上に説明した構造により、入力装置１００の操作モードがポインタモードの場合に操作モード切替ボタン１１２が赤色発光し、操作モードがスクロールモードの場合に操作モード切替ボタン１１２が青色発光することとなる。第１実施形態では、この操作モード切替ボタン１１２の発光色により、操作者に操作モードが示される。
【００７２】
また、この第１実施形態では、ボール１１１を囲むという、そのボール１１１の露出した部分に並んで配置された操作モード切替ボタン１１２にＬＥＤ１１３の光が導かれて、その光が、操作モード切替ボタン１１２を発光させる。これにより、ボール１１１を操作する操作者に、操作モードが、その操作者の目に入り易い箇所で示されることとなる。
【００７３】
次に、ここまでの説明と重複する部分もあるが、操作モード切替ボタン１１２が押下操作されたときのノートＰＣ１での処理の流れについて説明する。
【００７４】
尚、第１実施形態では、電源投入時の初期状態では、入力装置１００の操作モードはポインタモードとなっている。つまり、この初期状態では、コントローラ１３０が不図示のメモリ内に記憶している操作モードはポインタモードとなっている。また、コントローラ１３０は、ＣＰＵ２２とドライバ回路１１４にポインタモードを表すモード信号を出力している。ＣＰＵ２２は、このモード信号を受けて、図１の表示画面１１ａに表示像をポインタモードで表示させる。また、ドライバ回路１１４は、このモード信号を受けて、ＬＥＤ１１３を、ポインタモードに対応した赤色で発光させ、その結果、操作モード切替ボタン１１２が赤色で発光している。
【００７５】
図６は、ポインタモードにおける表示画面と操作モード切替ボタンを示す図である。
【００７６】
図６のパート（Ａ）には、ポインタモードにおける表示画面が示されており、パート（Ｂ）には、ポインタモードにおける操作モード切替ボタンが示されている。
【００７７】
ポインタモードでは表示画面１１ａ上に、入力装置１００の操作対象であるカーソル１１ｂが表示される。また、ポインタモードでは、上述したように、操作モード切替ボタン１１２が赤色で発光している。
【００７８】
図７は、操作モード切替ボタンが押下操作されたときのノートＰＣでの処理の流れを表すフローチャートである。
【００７９】
このフローチャートが表す処理は、ノートＰＣ１に電源が投入されるとスタートする。
【００８０】
図７のフローチャートが表す処理がスタートすると、コントローラ１３０は、ポインタモードを表すモード信号の出力と回転検知とを行いつつ、操作モード切替ボタン１１２が押下操作されて押ボタンスイッチ１３０の押下を検知するのを待つ。
【００８１】
押ボタンスイッチ１３０の押下を検知すると（ステップＳ１０１）、コントローラ１３０は、不図示のメモリ内に記憶されている操作モードを参照して、現在の操作モードがポインタモードであるか否かを判定する（ステップＳ１０２）。
【００８２】
上記の初期状態のままこのステップＳ１０２の処理が実行された場合には、このステップＳ１０２では、現在の操作モードがポインタモードであると判定される（ステップＳ１０２におけるＹｅｓ判定）。そして、ポインタモードであると判定された場合には、コントローラ１３０は、不図示のメモリ内に記憶されている操作モードをポインタモードからスクロールモードに更新する（ステップＳ１０３）。さらに、このステップＳ１０３では、コントローラ１３０は、ＣＰＵ２２にスクロールモードを表すモード信号を出力する。すると、ＣＰＵ２２は、このモード信号を受けて、図１の表示画面１１ａに表示像をスクロールモードで表示させる。
【００８３】
続いて、コントローラ１３０は、ＬＥＤ１１３のドライバ回路１１４にも、スクロールモードを表すモード信号を出力する（ステップＳ１０４）。すると、ドライバ回路１１４がＬＥＤ１１３の発光色を、ポインタモードを表す赤色からスクロールモードを表す青色に変更する。その結果、操作モード切替ボタン１１２の発光色も青色に変わる。
【００８４】
図８は、スクロールモードにおける表示画面と操作モード切替ボタンを示す図である。
【００８５】
図８のパート（Ａ）には、スクロールモードにおける表示画面が示されており、パート（Ｂ）には、スクロールモードにおける操作モード切替ボタンが示されている。
【００８６】
スクロールモードでは表示画面１１ａ上に、スクロール状態を示すスクロールバー１１ｃが表示される。また、スクロールモードでは、上述したように、操作モード切替ボタン１１２が青色で発光している。ここで、図８のパート（Ａ）に示すように、スクロールバー１１ｃは、表示画面１１ａの端に表示されることから操作者の目に入り難い。一方で、操作モード切替ボタン１１２は、ボール１１１を回転操作する操作者の目に入り易い。この第１実施形態では、このように操作者の目に入り易い箇所を、操作モードに応じた色で発光させることで、操作モードの認識のし易さが図られている。
【００８７】
図７に示すステップＳ１０３、Ｓ１０４を経て操作モードがスクロールモードに切り替わると、コントローラ１３０は、センサ１１５での反射光の検出結果からボール１１１が回転操作されたことを検知するまで待機状態となる。
【００８８】
コントローラ１３０がボール１１１が回転操作されたことを検知すると（ステップＳ１０５）、ＣＰＵ２２が、その検知時点でコントローラ１３０が出力しているモード信号を参照する。ＣＰＵ２２は、この参照により、現在の操作モードがポインタモードであるか否かを判定する（ステップＳ１０６）。
【００８９】
上記のステップＳ１０３、Ｓ１０４を経てステップＳ１０６の処理が実行された場合には、このステップＳ１０６では、現在の操作モードがポインタモードではない（つまり、スクロールモードである）と判定される（ステップＳ１０２におけるＮｏ判定）。
【００９０】
そして、ポインタモードではないと判定された場合には、ＣＰＵ２２は、コントローラ１３０から送られてくる回転情報が表すボール１１１の回転方向と回転距離とに応じて表示画面１１ａ上の表示像をスクロールする（ステップＳ１０７）。
【００９１】
このステップＳ１０７の処理は、電源が遮断される（ステップＳ１０８におけるＹｅｓ判定）まで、あるいは、電源が投入されたままで（ステップＳ１０８におけるＮｏ判定）ステップＳ１０１で押ボタンスイッチ１３０の押下が再び検知されるまで続けられる。
【００９２】
そして、上記のステップＳ１０７の処理を経て押ボタンスイッチ１３０の押下が再び検知されると、この検知に続くステップＳ１０２では、現在の操作モードがポインタモードではないと判定される（ステップＳ１０２におけるＮｏ判定）。
【００９３】
そして、ポインタモードではない（つまり、スクロールモードである）と判定された場合には、コントローラ１３０は、不図示のメモリ内に記憶されている操作モードをスクロールモードからポインタモードに更新する（ステップＳ１０９）。さらに、このステップＳ１０９では、コントローラ１３０は、ＣＰＵ２２にポインタモードを表すモード信号を出力する。すると、ＣＰＵ２２は、このモード信号を受けて、図１の表示画面１１ａに表示像を、図６に示したようにポインタモードで表示させる。
【００９４】
続いて、コントローラ１３０は、ＬＥＤ１１３のドライバ回路１１４にも、ポインタモードを表すモード信号を出力する（ステップＳ１１０）。すると、ドライバ回路１１４がＬＥＤ１１３の発光色を、スクロールモードを表す青色からポインタモードを表す赤色に変更する。その結果、操作モード切替ボタン１１２の発光色も赤色に変わる。
【００９５】
ステップＳ１０９、Ｓ１１０を経て操作モードがポインタモードに切り替わった後の、ステップＳ１０６では、ＣＰＵ２２は、現在の操作モードがポインタモードであると判定する（ステップＳ１０６におけるＹｅｓ判定）。
【００９６】
そして、ポインタモードであると判定された場合には、ＣＰＵ２２は、コントローラ１３０から送られてくる回転情報が表すボール１１１の回転方向と回転距離とに応じて表示画面１１ａ上のカーソル１１ｂを移動する（ステップＳ１１１）。
【００９７】
以上に説明した処理が、このノートＰＣ１の電源が遮断されるまで（ステップＳ１０８におけるＹｅｓ判定）続けられる。
【００９８】
以上に説明した第１実施形態のノートＰＣ１では、入力装置１００によるカーソルの移動や表示像のスクロール自体は、ボール１１１に対する回転操作のみで行われる。つまり、第１実施形態のノートＰＣ１では、カーソルの移動や表示像のスクロール時の入力装置１００の操作性の向上が図られている。
【００９９】
また、第１実施形態のノートＰＣ１では、入力装置１００の操作モードの切替え操作が、ボール１１１とは別部品である操作モード切替ボタン１１２に対する押下操作によって行われる。このため、ボール１１１の操作中に意図せずに操作モードが切り替わってしまう等といった事態が回避されている。つまり、この意図せぬモード切替えの回避という観点でも、第１実施形態のノートＰＣ１では、入力装置１００の操作性の向上が図られている。
【０１００】
また、第１実施形態のノートＰＣ１では、操作モードがポインタモードであるかスクロールモードであるかが、操作モードの切替え時に操作者が操作する操作モード切替ボタン１１２の発光色によって示される。そして、操作モード切替ボタン１１２は、入力装置１００のボール１１１の、導光用モールド１１６から露出した部分に並んで配置されている。これにより、操作モードを示す発光光が、ボール１１１を回転操作する操作者の目に入り易いことから、操作モードの認識のし易さが図られている。
【０１０１】
さらに、第１実施形態のノートＰＣ１では、この操作モード切替ボタン１１２の発光光の光源として、ボール１１１の回転検知用のＬＥＤ１１３が兼用されている。
【０１０２】
ここで、この第１実施形態のノートＰＣ１における操作モードの表示方法と比較するための比較例について説明する。
【０１０３】
図９は、比較例における操作モードの表示方法を示す図である。
【０１０４】
この比較例における操作モードの表示方法は、ボールの回転検知用のＬＥＤの他に、操作モードの表示用のＬＥＤを設けておき、その表示用のＬＥＤの発光の有無によってポインタモードとスクロールモードとを示すというものである。また、この比較例では、回転検知用のＬＥＤと操作モードの表示用のＬＥＤとは両方とも単色発光のＬＥＤである。
【０１０５】
図９のパート（Ａ）には、操作モードの表示用のＬＥＤ５０１の発光を制御する制御回路５１０が示されている。また、図９のパート（Ｂ）には、ボールの回転検知用のＬＥＤ５０２の発光を制御するドライバ回路５２０が示されている。
【０１０６】
図９のパート（Ａ）に示すように、制御回路５１０は、スクロールモードを示すモード信号が入力されるとオン状態となり、ポインタモードを示すモード信号が入力されるとオフ状態となるトランジスタ素子５１１を備えている。さらに、このトランジスタ素子５１１は、抵抗素子５１２を介してＬＥＤ５０１のカソード端子に接続されている。また、このＬＥＤ５０１のアノード端子が５Ｖ電源に接続されている。この比較例における制御回路５１０は、スクロールモードのときにのみＬＥＤ５０１を発光させる。
【０１０７】
また、図９のパート（Ｂ）に示すように、ドライバ回路５２０は、発光制御を行うドライバ素子５２１と、一端がこのドライバ素子５２１の出力端子に接続され、他端が、ＬＥＤ５０２のカソード端子に接続された抵抗素子５２２を備えている。ＬＥＤ５０２のアノード端子と、ドライバ素子５２１の電源端子は５Ｖ出力の電源に接続されている。この比較例におけるドライバ回路５２０は、電源投入中、ＬＥＤ５０２を発光させ続ける。
【０１０８】
この比較例では、操作モードを表示するために、ボールの回転検知用のＬＥＤ５０２とは別の新たなＬＥＤ５０１と、その新たなＬＥＤ５０１を発光させるための制御回路５１０が必要となっている。
【０１０９】
これに対し、上述の第１実施形態のノートＰＣ１における操作モードの表示方法では、操作モード切替ボタン１１２の発光光の光源として、ボール１１１の回転検知用のＬＥＤ１１３が兼用されている。つまり、この第１実施形態では、操作モードの表示のためのＬＥＤや制御回路が必要ではなく、従って、それらのＬＥＤや制御回路のための設置スペースが不要であり省スペース化が図られている。
【０１１０】
また、第１実施形態のノートＰＣ１では、操作モードの切替えのために押下操作される操作モード切替ボタン１１２が、操作モードの表示を行う表示部を兼ねている。これによって、部品点数の一層の削減が図られている。また、操作モードの切替えのための操作対象自体が操作モードを表示することで、操作モードについての一層の認識のし易さも図られている。
【０１１１】
このことは、本件の入力装置および電子機器に対し、上記操作子が、上記導光体が光を導く箇所に設けられたものであるという応用形態が好適であることを意味している。
【０１１２】
第１実施形態における操作モード切替ボタン１１２は、この応用形態における操作子の一例にも相当している。
【０１１３】
また、第１実施形態のノートＰＣ１では、操作モード切替ボタン１１２が、ボール１１１の周囲を囲むリング形状を有している。これにより、操作者は、ボール１１１を回転操作しながら指を伸ばして操作モード切替ボタン１１２を押下操作することで簡単に操作モードを切り替えることができる。また、このようなリング形状の操作モード切替ボタン１１２が発する光は、ボール１１１を操作する操作者の目に入り易く、操作モードについて一層の認識のし易さが図られている。
【０１１４】
このことは、本件の入力装置および電子機器に対し、上記操作子が、上記球状部材の、上記収納器から露出した部分を少なくとも部分的には囲んだものであるという応用形態が好適であることを意味している。
【０１１５】
第１実施形態における操作モード切替ボタン１１２は、この応用形態における操作子の一例にも相当している。
【０１１６】
また、第１実施形態のノートＰＣ１では、ＬＥＤ１１３は、各々が操作モードに対応した２色の光を用いてボール１１１の表面を照らすものとなっている。その結果、操作モードが、操作モード切替ボタン１１２における、操作者にとって視認し易い発光色の違いによって示されることとなっている。
【０１１７】
このことは、本件の入力装置および電子機器に対し、上記照射器が、上記複数態様の光として、色が互いに異なる複数の光を用いるものであるという応用形態が好適であることを意味している。
【０１１８】
第１実施形態におけるＬＥＤ１１３は、この応用形態における照射器の一例にも相当している。
【０１１９】
また、第１実施形態のノートＰＣ１では、導光用モールド１１６が、ボール１１１を収納する収納器の内壁を兼ねている。これにより、第１実施形態のノートＰＣ１では、入力装置１００についての部品点数の削減が図られている。
【０１２０】
このことは、本件の入力装置および電子機器に対し、上記導光体が、上記収納器の内壁を兼ねたものであるという応用形態が好適であることを意味している。
【０１２１】
第１実施形態における導光用モールド１１６は、この応用形態における導光体の一例にも相当している。
【０１２２】
以上で、第１実施形態についての説明を終了し、次に第２実施形態について説明する。
【０１２３】
この第２実施形態は、互いに異なる色の光を発する２つのＬＥＤを備えている点が上記の第１実施形態と異なっている。この第２実施形態では、これら２つの発光部が発する光が、双方とも、回転検知用および操作モードの表示用に兼用される。
【０１２４】
以下、この第２実施形態について、第１実施形態との相違点に注目して説明し、第１実施形態との同一点については説明を割愛する。
【０１２５】
図１０は、第２実施形態におけるＬＥＤのドライバ回路を示す図である。
【０１２６】
この図１０に示すように、第２実施形態では、入力部に、赤色発光タイプの第１ＬＥＤ２０１と青色発光タイプの第２ＬＥＤ２０２とが備えられている。これら２つのＬＥＤは、一体的にパッケージされて１個の部品となっている。そして、第２実施形態では、このように一体的にパッケージされた第１ＬＥＤ２０１および第２ＬＥＤ２０２が、ボールの下部に配置されている。
【０１２７】
また、この第２実施形態におけるドライバ回路２１０は、第１ＬＥＤ２０１と第２ＬＥＤ２０２との双方について発光制御を行うドライバ素子２１１を備えている。また、ドライバ回路２１０は、一端がドライバ素子２１１の出力端子に接続され、他端が、第１ＬＥＤ２０１のカソード端子に接続された第１抵抗素子２１２を備えている。そして、ドライバ回路２１０は、一端がドライバ素子２１１の出力端子に接続され、他端が、第２ＬＥＤ２０２のカソード端子に接続された第２抵抗素子２１３を備えている。第１および第２ＬＥＤ２０１、２０２それぞれのアノード端子と、ドライバ素子２１１の電源端子は５Ｖ出力の電源に接続されている。さらに、ドライバ素子２１１の信号入力端子が、入力部のコントローラに接続されており、この信号入力端子に、モード信号が入力される。ドライバ素子２１１は、モード信号がポインタモードを表す信号であった場合に、第１ＬＥＤ２０１を発光させる。また、ドライバ素子２０２は、モード信号がスクロールモードを表す信号であった場合に、第２ＬＥＤ２０２を発光させる。これにより、入力部の操作モード切替ボタンが、ポインタモードでは赤色発光し、スクロールモードでは青色発光することとなる。
【０１２８】
この第２実施形態では、第１ＬＥＤ２０１と第２ＬＥＤ２０２との双方を合わせたものが、上記球状部材の表面のうち、上記収納器に内包されている表面部分を、複数態様の光のうち指定を受けた態様の光で照らす照射器の一例に相当する。
【０１２９】
以上に説明したように、第２実施形態では、第１ＬＥＤ２０１と第２ＬＥＤ２０２との２つのＬＥＤの発光光によって回転検知が行われると共に操作モードが示される。これら２つのＬＥＤは一体化されて１個の部品となっているので、１個のＬＥＤの設置スペースとほぼ同等な設置スペースに配置することができる。さらに、第２実施形態では、これら２つのＬＥＤの発光制御は、１つのドライバ回路２１１で行われる。つまり、この第２実施形態でも、図９に示す比較例のように互いに別々の２つのＬＥＤと２つの制御回路とを有する形態に比べて省スペース化が図られている。そして、この第２実施形態でも、操作モードの切替え方法と表示方法自体は、上述の第１実施形態とほぼ同様であり、操作性の向上と、操作モードの認識のし易さが図られていることは言うまでもない。
【０１３０】
次に、第３実施形態について説明する。
【０１３１】
この第３実施形態は、入力部の操作モード切替ボタンと、操作モードの表示部とが別部品となっている点が、上記の第１実施形態と異なっている。
【０１３２】
以下、この第３実施形態について、第１実施形態との相違点に注目して説明し、第１実施形態との同一点については説明を割愛する。
【０１３３】
図１１は、第３実施形態における入力部の操作モード切替ボタンと、操作モードの表示部とを示す図である。
【０１３４】
この第３実施形態では、操作モードの表示部３０２が、ボール３０１の周囲を囲む、一部が切れたリング形状を有しており、ノートＰＣの本体筐体に固定されている。そして、この表示部３０２に対する、本体筐体の内部側には、図４に示す第１実施形態の導光用モールド１１６、ＬＥＤ１１３、およびセンサ１１５と同等な、導光用モールド、ＬＥＤ、およびセンサが配置されている。また、表示部３０２は、図４に示す第１実施形態の操作モード切替ボタン１１２と同様に、樹脂で曇りガラス状に形成されている。つまり、この第３実施形態では、本体筐体に固定された表示部３０２が、ポインタモードで赤色発光し、スクロールモードで青色発光する。
【０１３５】
さらに、この第３実施形態では、表示部３０２におけるリングが切れている箇所に、四角形状の操作モード切替ボタン３０３が設けられている。この操作モード切替ボタン３０３は、本体筐体に設けられた穴の中に延びた突起状の形を有している。そして、その穴の内部に配置されたバネによって押し上げられている。つまり、この第３実施形態では、この操作モード切替ボタン３０３が、第１実施形態の操作モード切替ボタン１１２と同様に、操作者の指で押されると沈み込み、指が離れると復位するようになっている。そして、その穴の中に、第１実施形態の押ボタンスイッチ１３０と同等な押ボタンスイッチが配置されている。この押ボタンスイッチが、第１実施形態のコントローラ１３０と同等なコントローラに接続されている。これにより、第３実施形態では、四角形状の操作モード切替ボタン３０３に対する押下操作によって操作モードの切替えが行われる。
【０１３６】
この第３実施形態では、四角形状の操作モード切替ボタン３０３が、上記変化部における変化方式を選択する選択操作を受ける操作子の一例に相当する。また、本体筐体に固定された表示部３０２が、上記導光体によって光が導かれる「外部から視認される箇所」の一例に相当する。
【０１３７】
以上に説明した第３実施形態は、操作モード切替ボタンと表示部とが分かれていることを除けば上述の第１実施形態と同様であり、この第３実施形態でも操作性の向上と、操作モードの認識のし易さが図られていることは言うまでもない。
【０１３８】
次に、第４実施形態について説明する。
【０１３９】
この第４実施形態は、ＬＥＤが単色発光タイプであり、このＬＥＤがポインタモードで連続発光してスクロールモードで点滅発光するように発光制御される点が、上記の第１実施形態と異なっている。
【０１４０】
以下、この第４実施形態について、第１実施形態との相違点に注目して説明し、第１実施形態との同一点については説明を割愛する。
【０１４１】
図１２は、第４実施形態において、操作モード切替ボタンが押下操作されたときのノートＰＣでの処理の流れを表すフローチャートである。
【０１４２】
尚、この図１２では、図７に示す第１実施形態でのフローチャートにおける処理と同等な処理については、この図７と同じステップ番号が付されており、以下では、それら同等な処理については説明を割愛する。
【０１４３】
この図１２のフローチャートに示すように、第４実施形態では、ステップＳ１０３の処理で操作モードがポインタモードからスクロールモードに切り替えられると、ＬＥＤの発光が、連続発光から点滅発光に変更される（ステップＳ２０１）。
【０１４４】
また、第４実施形態では、ステップＳ１０９の処理で操作モードがスクロールモードからポインタモードに切り替えられると、ＬＥＤの発光が、点滅発光から連続発光に変更される（ステップＳ２０２）。
【０１４５】
尚、この第４実施形態では、センサでの反射光の映像の検出結果に基づいてボールの回転検知、および回転方向や回転距離の算出を行うコントローラは、ＬＥＤが点滅発光しているときには、ＬＥＤが消灯しているタイミングでの反射光の映像を補完する。そして、コントローラは、その補完結果に基づいて回転検知、および回転方向や回転距離の算出を行う。
【０１４６】
この第４実施形態では、上記のように連続発光と点滅発光とを行うＬＥＤが、前記球状部材の表面のうち、上記収納器に内包されている表面部分を、複数態様の光のうち指定を受けた態様の光で照らす照射器の一例に相当する。そして、点滅発光による光と連続発光による光とが、上記の複数態様の光の一例に相当する。
【０１４７】
以上に説明した第４実施形態は、ＬＥＤが発する光の態様以外は上述の第１実施形態と同様であり、この第４実施形態でも操作性の向上と、操作モードの認識のし易さが図られていることは言うまでもない。
【０１４８】
また、この第４実施形態におけるＬＥＤが発する光の連続あるいは点滅という２つの態様も、上述の第１実施形態における赤青２色という２つの態様と同様に、操作者にとって違いが視認し易い。
【０１４９】
このことは、本件の入力装置および電子機器に対し、上記照射器が、上記複数態様の光として、点灯消滅パターンが互いに異なる複数の光を用いるものであるという応用形態が好適であることを意味している。
【０１５０】
第４実施形態におけるＬＥＤは、この応用形態における照射器の一例にも相当している。ここで、この第４実施形態では、この応用形態にいう「点灯消滅パターンが互いに異なる複数の光」の一例として、連続発光の光と点滅発光の光とを例示した。しかし、「点灯消滅パターンが互いに異なる複数の光」はこれに限るものではなく、例えば、点滅間隔が互いに異なる複数種類の点滅発光の光であっても良い。
【０１５１】
尚、以上に説明した第１〜第４の各実施形態では、本件の電子機器の一例としてノートＰＣを例示したが、本件の電子機器はノートＰＣに限るものではない。本件の電子機器は、例えばデスクトップタイプのパーソナルコンピュータで、周辺機器として入力装置を備えたものであっても良い。また、本件の電子機器は、例えば、入力装置が搭載された携帯端末機器等であっても良い。
【０１５２】
また、第１〜第４の各実施形態では、上記の複数の変化方式として、ポインタモードとスクロールモードとの２つの操作モードを例示した。しかし、複数の変化方式は、これら２つの操作モードに限るものではない。上記の複数の変化方式は、例えば、ポインタモードと、次のような２種類のスクロールモードとの３つの操作モード等であっても良い。
【０１５３】
２種類のスクロールモードのうちの１つは、例えばボールを下向きに回転させたときに表示画面上で表示像を上に向かって移動させるといった、ボールの回転方向と表示像の移動方向とが逆向きになっているものである。もう１つのスクロールモードは、ボールを下向きに回転させたときに表示画面上で表示像を下に向かって移動させるといった、ボールの回転方向と表示像の移動方向とが同じ向きになっているものである。このような３つの操作モードを採用した場合、操作モードを示す光は、３色の光であったり、点灯消滅パターンが互いに異なる３種類の光であったりすることとなる。
【０１５４】
また、第１〜第４の各実施形態では、互いに異なる複数の発光色、あるいは、互いに異なる複数の点灯消滅パターンで複数の操作モードを示す形態を例示したが、複数の操作モードの示し方はこれらの形態に限るものではない。複数の操作モードの示し方は、例えば複数の発光色と複数の点灯消滅パターンとの組合せで複数の操作モードを示すもの等であっても良い。
【符号の説明】
【０１５５】
１    ノートＰＣ
１０    表示装置
１０ａ    表示筐体
１１    液晶パネル
１１ａ    表示画面
１１ｂ    カーソル
１１ｃ    スクロールバー
２０    本体装置
２０ａ    本体筐体
２０ａ＿１    穴
２０ａ＿２    バネ
２１    キーボード
２２    ＣＰＵ
２３    メモリ
２４    ＨＤＤ
２５    スピーカ
２６    マウス
２７    バス
１００    入力装置
１１０    ボール構造体
１１１，３０１    ボール
１１２，３０３    操作モード切替ボタン
１１３，５０１，５０２    ＬＥＤ
１１４，２１０，５２０    ドライバ回路
１１４ａ，２１１，５２１    ドライバ素子
１１４ｂ，５１２，５２２    抵抗素子
１１５    センサ
１１６    導光用モールド
１１６ａ    支点
１１６ｂ    窓
１２０    コントローラ
１３０    押ボタンスイッチ
２０１    第１ＬＥＤ
２０２    第２ＬＥＤ
２１２    第１抵抗素子
２１３    第２抵抗素子
３０２    表示部
５１０    制御回路
５１１    トランジスタ素子
【図１】
2012150697.tif 000003
【図２】
2012150697.tif 000004
【図３】
2012150697.tif 000005
【図４】
2012150697.tif 000006
【図５】
2012150697.tif 000007
【図６】
2012150697.tif 000008
【図７】
2012150697.tif 000009
【図８】
2012150697.tif 000010
【図９】
2012150697.tif 000011
【図１０】
2012150697.tif 000012
【図１１】
2012150697.tif 000013
【図１２】
2012150697.tif 000014